(57)【要約】【課題】構造化された読影レポートをカルテ等に貼り付ける際に、情報の内容や関係情報に応じて貼付データをレイアウトすることにより、レポートの内容の理解し易さを損ねることのない医用情報処理技術を提供すること。【解決手段】画像診断に関する情報を分類した複数の情報と、情報の間の関係を示す関係情報と、を含む構造化情報を処理する医用情報処理装置は、構造化情報の貼り付けを指示する指示部と、指示部の指示に応じて、貼り付ける情報のレイアウト方向を決定する決定部と、レイアウト方向と、貼り付ける情報の内容と、関係情報とに応じて、貼り付ける情報をレイアウトした貼付データを生成する生成部と、を備える。【選択図】  図４
2018036729.tif 000002
【特許請求の範囲】
【請求項１】
画像診断に関する情報を分類した複数の情報と、前記情報の間の関係を示す関係情報と、を含む構造化情報を処理する医用情報処理装置であって、
前記構造化情報の貼り付けを指示する指示手段と、
前記指示手段の指示に応じて、貼り付ける情報のレイアウト方向を決定する決定手段と、
前記レイアウト方向と、前記貼り付ける情報の内容と、前記関係情報とに応じて、前記貼り付ける情報をレイアウトした貼付データを生成する生成手段と、
を備えることを特徴とする医用情報処理装置。
【請求項２】
前記決定手段は、前記レイアウト方向に加えて、前記貼り付ける情報のデータ形式を決定し、
前記生成手段は、前記決定手段により決定されたデータ形式に従い、前記貼付データを生成することを特徴とする請求項１に記載の医用情報処理装置。
【請求項３】
前記生成手段は、前記レイアウト方向が縦方向か横方向のいずれかである場合に、前記関係情報に基づいて前記情報のグループ化を行い、グループ内の情報をレイアウト方向にレイアウトすると共に、グループを前記レイアウト方向にレイアウトして、前記貼付データを生成することを特徴とする請求項１または２に記載の医用情報処理装置。
【請求項４】
前記複数の情報には、依頼、画像、所見、診断の情報が含まれることを特徴とする請求項１乃至３のいずれか１項に記載の医用情報処理装置。
【請求項５】
前記生成手段は、前記依頼の情報の内容に基づいて、前記情報のグループ化を行うことを特徴とする請求項４に記載の医用情報処理装置。
【請求項６】
前記生成手段は、前記依頼の情報の内容が所見の精査目的である場合に、所見の情報毎に、前記関係情報に基づいて、当該所見の情報と関係する情報のグループ化を行い、
前記生成手段は、前記依頼の情報の内容が診断の鑑別目的である場合に、診断の情報毎に、前記関係情報に基づき当該診断の情報と関係する情報のグループ化を行うことを特徴とする請求項５に記載の医用情報処理装置。
【請求項７】
前記生成手段は、前記情報を縦方向または横方向にレイアウトする際に、前記依頼の情報の内容に応じてグループを変更することを特徴とする請求項５または６に記載の医用情報処理装置。
【請求項８】
前記生成手段は、前記レイアウト方向が縦横方向である場合に、前記関係情報に基づいて前記情報のグループ化を行い、グループ内の情報を横方向にレイアウトし、グループを縦方向にレイアウトして、前記貼付データを生成することを特徴とする請求項１または２に記載の医用情報処理装置。
【請求項９】
前記決定手段は、予め記憶した設定情報に基づきレイアウト方向を決定することを特徴とする請求項１乃至８のいずれか１項に記載の医用情報処理装置。
【請求項１０】
前記決定手段は、貼り付け先の表示に関する属性値に基づきレイアウト方向を決定することを特徴とする請求項１乃至９のいずれか１項に記載の医用情報処理装置。
【請求項１１】
前記決定手段は、予め記憶した設定情報に基づきデータ形式を決定することを特徴とする請求項２に記載の医用情報処理装置。
【請求項１２】
前記決定手段は、貼り付け先が対応するデータ形式を取得し、前記貼り付ける情報のデータ形式を決定することを特徴とする請求項２または１１に記載の医用情報処理装置。
【請求項１３】
前記データ形式には、画像データ、テキストデータおよび構造化データが含まれることを特徴とする請求項１１または１２に記載の医用情報処理装置。
【請求項１４】
前記指示手段は、情報追加に関する設定情報を取得し、前記設定情報に設定されている情報を前記貼り付ける情報に追加することを特徴とする請求項１乃至１３のいずれか１項に記載の医用情報処理装置。
【請求項１５】
前記指示手段は、前記関係情報に従い、前記設定情報に設定されている情報を取得して、前記貼り付ける情報に追加することを特徴とする請求項１４に記載の医用情報処理装置。
【請求項１６】
前記構造化情報を構成する情報を前記貼り付けの対象となる情報として指定する指定手段を更に備え、
前記指示手段は、前記指定手段の指定に基づいて、前記構造化情報の全部、或いは一部の情報の貼り付けを指示し、
前記決定手段は、前記指示手段の指示に応じて、前記貼り付ける情報のレイアウト方向を決定することを特徴とする請求項１乃至１５のいずれか１項に記載の医用情報処理装置。
【請求項１７】
請求項1乃至１６のいずれか１項に記載の医用情報処理装置を有することを特徴とする医用情報処理システム。
【請求項１８】
画像診断に関する情報を分類した複数の情報と、前記情報の間の関係を示す関係情報と、を含む構造化情報を処理する医用情報処理装置における医用情報処理方法であって、
指示手段が、前記構造化情報の貼り付けを指示する指示工程と、
決定手段が、前記指示工程での指示に応じて、貼り付ける情報のレイアウト方向を決定する決定工程と、
生成手段が、前記レイアウト方向と、前記貼り付ける情報の内容と、前記関係情報とに応じて、前記貼り付ける情報をレイアウトした貼付データを生成する生成工程と、
を有することを特徴とする医用情報処理方法。
【請求項１９】
コンピュータに、請求項１８に記載の医用情報処理方法の各工程を実行させるためのプログラム。
【発明の詳細な説明】
【技術分野】
【０００１】
本発明は、読影レポートに記載された内容を、カルテ等、他の医用文書に貼り付ける機能を有する医用情報処理装置、医用情報処理システム、医用情報処理方法およびプログラムに関する。
【背景技術】
【０００２】
近年、医用画像撮像装置の性能向上は目覚ましく、ＣＴ（Computed Tomography）やＭＲＩ（Magnetic Resonance Imaging）等では高精細な三次元画像データ（医用画像）が短時間に得られるようになっている。医用画像から得られる情報は、読影医によって、読影レポートとして記載されるが、前述のように増大する情報を、読影レポートを読む人が理解し易くなるよう、構造化の考え方を取り入れた読影レポートがある。読影レポートの構造化の１つの方法としては、レポートの記載内容を画像、所見、診断、推奨等に分割し、それらを関係付ける方法がある。
【０００３】
構造化された読影レポートの１つは、情報が、関係情報に従って、左から画像、所見、診断、推奨の順で横方向に並べられる。このような読影レポートの内容をカルテに貼付する際に、カルテの記載欄の幅が十分でないと、読影レポートの文字が小さくなったり、１つの情報の１行の文字数が少なくなったりし、読み難くなってしまう。そこで、状況に応じて画面上に表示する情報のレイアウトを変更する技術が必要であり、先行する技術として、以下の２つがある。
【０００４】
特許文献１では、表示する対象となる超音波画像の輝度値の浅部側領域と深部側領域の輝度値に応じて、画像を上下に並べるか左右に並べるかの画面レイアウトを変更する超音波画像診断装置が開示されている。
【０００５】
特許文献２では、医師の好みや異常検出結果に応じて、左右どちらの乳房の、どの撮影方向の画像を、左右どちらの画面に、上下、左右のどの方向にレイアウトするかを、設定に基づき制御するマンモグラフィ装置が開示されている。
【先行技術文献】
【特許文献】
【０００６】
【特許文献１】特開２０１３−２５２３４５号公報
【特許文献２】特開平８−１８６７６２号公報
【発明の概要】
【発明が解決しようとする課題】
【０００７】
構造化された読影レポートは、情報が関係情報で結ばれネットワーク構造を形成する。しかしながら、特許文献１、２のように、表示する情報の並びを、上下左右方向に単純に変えるだけでは、関係情報より表現されていた情報間の関係が失われ、読影レポートの内容が理解し難くなる場合が生じ得る。
【０００８】
そこで、本発明は、構造化された読影レポートを電子カルテ等に貼り付ける際に、読影レポートの情報の内容や関係情報に応じて貼付データをレイアウトすることにより、読影レポートの内容の理解し易さを損ねることのない医用情報処理技術を提供することを目的とする。
【課題を解決するための手段】
【０００９】
本発明の一態様による医用情報処理装置は、画像診断に関する情報を分類した複数の情報と、前記情報の間の関係を示す関係情報と、を含む構造化情報を処理する医用情報処理装置であって、
前記構造化情報の貼り付けを指示する指示手段と、
前記指示手段の指示に応じて、貼り付ける情報のレイアウト方向を決定する決定手段と、
前記レイアウト方向と、前記貼り付ける情報の内容と、前記関係情報とに応じて、前記貼り付ける情報をレイアウトした貼付データを生成する生成手段と、を備えることを特徴とする。
【発明の効果】
【００１０】
本発明によれば、構造化された読影レポートをカルテ等に貼り付ける際に、情報の内容や関係情報に応じて貼付データをレイアウトすることにより、レポートの内容の理解し易さを損ねることのない貼り付けが可能となる。
【図面の簡単な説明】
【００１１】
【図１】実施形態１及至３に係る医用情報処理装置を含む医用情報処理システムのシステム構成図。
【図２】実施形態１及至３に係る医用情報処理装置のハードウェア構成図。
【図３Ａ】実施形態１及至３に係る医用情報処理装置の画面構成の一例を示す図。
【図３Ｂ】実施形態１及至３に係る医用情報処理装置の画面構成の一例を示す図。
【図４】実施形態１及至３に係る医用情報処理装置の機能ブロック図。
【図５】実施形態１及至３に係る医用情報処理装置の各種情報の一例を示す図。
【図６】実施形態１に係る医用情報処理装置の設定情報の一例を示す図。
【図７】実施形態１及至３に係る医用情報処理装置のレイアウト方向を説明する画面表示の一例を示す図。
【図８】実施形態１及至２に係る医用情報処理装置の、レポート情報貼付後のカルテ画面の一例を示す図。
【図９】実施形態１及至３に係る医用情報処理装置の、レイアウトの一例を説明する図。
【図１０】実施形態１に係る医用情報処理装置のメイン処理のフロー図。
【図１１】実施形態１及３に係る医用情報処理装置のレイアウト方向・データ形式決定処理のフロー図。
【図１２】実施形態１及至３に係る医用情報処理装置の貼付データ生成処理のフロー図。
【図１３】実施形態２に係る医用情報処理装置のメイン処理のフロー図。
【図１４】実施形態２に係る医用情報処理装置のレイアウト方向・データ形式決定処理のフロー図。
【図１５】実施形態３に係る医用情報処理装置の設定情報の一例を示す図。
【図１６】実施形態３に係る医用情報処理装置のメイン処理のフロー図。
【図１７】実施形態３に係る医用情報処理装置の関係情報追加処理のフロー図。
【図１８】実施形態３に係る医用情報処理装置の、レポート情報貼付後のカルテ画面の一例を示す図。
【発明を実施するための形態】
【００１２】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。尚、特に断らない限り、他の実施形態等で説明した項目については、同一の番号を付し、その説明を省略する。
【００１３】
＜実施形態１＞
（システム構成）
図１は、本実施形態に係る医用情報処理装置を含む医用情報処理システム１０のシステム構成図である。本実施形態では、貼り付けされる情報（コピー元の情報）を、ＣＴやＭＲＩ等の医用画像撮影装置により撮影された画像（医用画像）に基づく画像診断により作成された、構造化された読影レポートの情報とする。また、貼り付け先を電子カルテ（以下、カルテ）として説明するが、構造化された他のレポート（構造化医用レポート）を、他の医用文書（医用文書システム）に貼り付ける場合でも同様である。
【００１４】
図１において、医用情報処理システム１０は、ＰＡＣＳ（Picture Archiving and Communication System）サーバ１２０、レポートサーバ１３０、カルテサーバ１４０、医用情報処理装置１００を有する。ＰＡＣＳサーバ１２０は画像データベース（以降、画像ＤＢ）１２１を備え、ネットワーク１１０を介して画像情報を保存、読み出しする機能を提供する。画像情報は、ＣＴやＭＲＩで撮影されたＤＩＣＯＭ（Digital Imaging and Communications in Medicine）形式の画像と画像を管理するための情報であり、具体的な内容については図５（ｃ）を用いて後述する。
【００１５】
レポートサーバ１３０は、レポートデータベース（以降、レポートＤＢ）１３１を備え、レポート情報を、ネットワーク１１０を介して保存、読み出しする機能を提供する。ここで、レポート情報の具体的な内容については、図５（ａ）を用いて後述する。カルテサーバ１４０は、カルテデータベース（以降、カルテＤＢ）１４１を備え、カルテ情報を、ネットワーク１１０を介して保存、読み出しする機能を提供する。ここで、カルテ情報の具体的な内容については、図５（ｂ）を用いて後述する。医用情報処理装置１００は、ＰＡＣＳサーバ１２０、レポートサーバ１３０、カルテサーバ１４０と連携し、診療の対象となる患者の読影レポートや画像を閲覧し、カルテを作成する装置である。
【００１６】
（ハードウェア構成）
図２は、本実施形態に係る医用情報処理装置１００のハードウェア構成図である。図２において、記憶媒体２０４は、ＯＳ（Operating System）や処理プログラムや各種情報を記憶するＨＤＤ（Hard Disk Drive）等の記憶媒体である。ＲＯＭ（Read Only Memory）２０１はＢＩＯＳ（Basic Input Output System）等、ＯＳを起動するためのプログラムを記憶する。ＣＰＵ（Central Processing Unit）２０２は各種プログラムを実行する際の演算処理を行う。ＲＡＭ（Random Access Memory）２０３は、ＣＰＵ２０２がプログラムを実行する際の各種情報を一時記憶する。
【００１７】
入力インタフェース（以降Ｉ／Ｆ）２０５は、キーボード２１０、マウス２２０等の入力機器を接続するＵＳＢ（Universal Serial Bus）等の通信インタフェースである。ディスプレイＩ／Ｆ２０６は、ディスプレイ２３０−１、２３０−２、２３０−３へ画面表示を行うための、グラフィックボード等のインタフェースである。ネットワークＩ／Ｆ２０７は、ＩＥＥＥ（Institute of Electrical and Electronics Engineers）８０２．３ａｂ等の規格に対応し、ネットワーク１１０を介して通信を行うためのインタフェースである。２０８は、各ブロックが通信を行う為の内部バスである。
【００１８】
（画面構成）
図３Ａ（ａ）、（ｂ）、図３Ｂ（ａ）、（ｂ）は、本実施形態に係る医用情報処理装置の画面構成の一例を示す図である。図３Ａ（ａ）は医用情報処理装置１００の表示画面の全体構成であり、画面３１０は患者の診療記録を記載するカルテ画面であり、画面３２０はＣＴ、ＭＲＩ等の検査画像を閲覧するビューワ画面であり、画面３３０は読影レポートを閲覧するレポート画面である。
【００１９】
図３Ａ（ｂ）はカルテ画面３１０の画面構成を例示する図である。カルテ画面３１０は患者情報表示領域３１１−１、診療履歴表示領域３１２、過去カルテ表示領域３１３、今回カルテ編集領域３１４、カルテ画面を閉じるためのボタン３１５を有する。
【００２０】
患者情報表示領域３１１−１には、患者氏名、患者ＩＤ、年齢、性別、アレルギー、メモ等の情報が表示される。診療履歴表示領域３１２には、過去のカルテ一覧、検査結果の一覧が表示される。診療履歴表示領域３１２において、過去のカルテが指定されると、対応するカルテが過去カルテ表示領域３１３に表示される。また、診療履歴表示領域３１２において、検査結果が指定されると、対応する検査のレポートや画像が、レポート画面３３０、ビューワ画面３２０に表示される。過去カルテ表示領域３１３には、カルテの作成日時、本文、処置・処方の内容が表示される。今回カルテ編集領域３１４では、カルテ本文や処置・処方の編集入力ができるように構成されている。
【００２１】
図３Ｂ（ａ）はビューワ画面３２０の画面構成である。ビューワ画面３２０は、患者情報表示領域３１１−２、検査情報表示領域３２１−１、検査画像一覧表示領域３２３、検査画像表示領域３２４を有する。患者情報表示領域３１１−２には、患者氏名、患者ＩＤ、年齢、性別等の情報が表示される。検査情報表示領域３２１−１には、検査種別、検査部位、検査日、コメント等の情報が表示される。検査画像一覧表示領域３２３は、同一検査で撮影された画像の一覧がサムネイルで表示される。検査画像表示領域３２４には、検査画像一覧表示領域３２３で選択された画像が表示される。本領域では、表示するスライス位置の移動や、ＷＬ（Window Level）／ＷＷ（Window Width）といった画像表示条件の変更や、ＲＯＩ（Region of Interest）等の図形表示等が可能である。
【００２２】
図３Ｂ（ｂ）はレポート画面３３０の画面構成である。レポート画面３３０は、患者情報表示領域３１１−３、検査情報表示領域３２１−２、依頼目的表示領域３３３、レポート本文表示領域３３４を有する。患者情報表示領域３１１−３には、患者氏名、患者ＩＤ、年齢、性別等の情報が表示される。検査情報表示領域３２１−２には、検査種別、検査部位、検査日、コメント等の情報が表示される。
【００２３】
依頼目的表示領域３３３において、３３５は依頼情報であり、依頼情報は、依頼目的毎に分割して表示され得る。依頼情報３３５は、読影医が読影依頼のオーダー等に付与された情報から作成しても、依頼側が読影依頼のオーダー時に作成してもよい。
【００２４】
レポート本文表示領域３３４には、画像診断に関する情報を所定の種類ごとに分類した読影レポートの各種情報と、各種情報の間を関係付ける関係情報（直線や矢印等で示されるリンク）と、を含む構造化文書の形式で読影レポートが表示される。図３Ｂ（ｂ）において、読影レポートの各種情報の例として、代表画像、所見情報、診断情報、推奨情報が例示されているが、本発明の趣旨はこれらの例に限定されるものではなく、読影レポートを構成する他の情報も含まれ得る。
【００２５】
レポート本文表示領域３３４において、３３６−１と３３６−２は代表画像であり、３３７−１と３３７−２は所見情報である。３３８−１と３３８−２は診断情報であり、３３９は推奨情報である。これらの情報は、読影医によって入力されたものである。各々の情報の対応関係を実線で示し、原因／根拠の関係（因果関係）を矢印線で示す。すなわち、本実施形態において、代表画像３３６−１に対応する所見は所見情報３３７−１であり、所見情報３３７−１を原因／根拠とする診断は診断情報３３８−１である。同様に、代表画像３３６−２に対応する所見は所見情報３３７−２であり、所見情報３３７−２を原因／根拠とする診断は診断情報３３８−２であり、診断情報３３８−２と推奨情報３３９とが各々関係付けられている。尚、本関係情報は、レポート作成時に、読影医により入力される。図３Ｂ（ｂ）では、各々の情報の対応関係を実線で表示し、原因／根拠の関係を矢印線で表示する例を示しているが、これらの表示は例示的なものであり、異なる種類の線種により表示することも可能である。
【００２６】
（機能ブロック）
図４は、本実施形態に係る医用情報処理装置１００の機能ブロック図である。医用情報処理装置１００は、画像診断に関する情報を分類した複数の情報と、情報の間の関係を示す関係情報と、を含む構造化情報（構造化された読影レポート）を処理する。医用情報処理装置１００は、機能構成として、表示制御部４０１、情報指定部４０２、貼付指示部４０３、および方向形式決定部４０４（決定部）、貼付データ生成部４０５を有する。
【００２７】
表示制御部４０１は、画像ＤＢ１２１、レポートＤＢ１３１、カルテＤＢ１４１から画像情報、レポート情報、カルテ情報を読み出し、ディスプレイ１（２３０−１）〜ディスプレイ３（２３０−３）上におけるビューワ画面３２０、レポート画面３３０、カルテ画面３１０の表示を制御する。また、表示制御部４０１は、画像情報、レポート情報、カルテ情報を閲覧する操作に応じてビューワ画面３２０、レポート画面３３０、カルテ画面３１０の画面表示を更新する。また、今回カルテ情報に関して、表示制御部４０１は、編集入力を受け付けてカルテ情報を編集し、カルテＤＢ１４１に保存する。
【００２８】
情報指定部４０２は、レポート画面３３０において、構造化された読影レポートを構成する各種情報の全部或いは一部を貼付対象の情報として指定する機能を提供する。情報指定部４０２は、構造化された読影レポートを構成する情報を貼り付けの対象となる情報として指定する。本実施形態の場合、依頼情報、画像情報、所見情報、診断情報、推奨情報等の各情報をマウス２２０で左クリックすることにより指定でき、キーボード２１０でＣｔｒｌキーを押下しながら左クリックすることで複数の情報を指定できる。
【００２９】
貼付指示部４０３は、情報指定部４０２で指定された情報の貼付指示を行う機能を提供する。情報指定部４０２の指定に基づいて、貼付指示部４０３は、構造化情報（構造化医用レポート）の全部或いは一部の貼り付けを指示する。本実施形態では、情報が指定された状態で、キーボード２１０でＣｔｒｌ＋Ｃを押下し、貼り付け先である今回カルテ編集領域３１４を指定した状態でＣｔｒｌ＋Ｖを押下することで、貼付指示となる。尚、Ｃｔｒｌ＋Ｃ、Ｃｔｒｌ＋ＶとはＣｔｒｌキーとＣ又はＶキーを同時に押下することを意味する。
【００３０】
方向形式決定部４０４（決定部）は、貼付指示部４０３における貼付指示に応じて、情報指定部４０２で指定された情報、レポート情報等に基づき、貼付するデータのデータ形式とレイアウト方向とを決定する。ここで、レイアウト方向は、例えば、縦方向、横方向、或いは縦横方向の何れか１つである。また、データ形式は、例えば、画像データ、テキストデータ、構造化データ（例えば、ＸＭＬ（Extensible Markup Language）やＨＴＭＬ（Hyper Text Markup Language）など）の何れか１つである。
【００３１】
貼付データ生成部４０５は、方向形式決定部４０４により決定されたデータ形式とレイアウト方向と、情報指定部４０２で指定された情報と、関係情報とに応じて、貼り付ける情報のレイアウトを行い、貼付するデータ（貼付データ）を生成する。貼付データ生成部４０５は、生成された貼付データを、ＯＳが提供するクリップボード等の機能を介して、カルテ情報に入力されカルテＤＢ１４１に記憶する。
【００３２】
方向形式決定部４０４（決定部）および貼付データ生成部４０５における処理として、例えば、方向形式決定部４０４は、まず、貼付指示部４０３の指示に応じて、貼り付ける情報のレイアウト方向を決定する。そして、貼付データ生成部４０５は、決定されたレイアウト方向と、貼り付ける情報の内容と、関係情報とに応じて、貼り付ける情報をレイアウトした貼付データを生成する。そして、方向形式決定部４０４は、レイアウト方向に加えて、貼り付ける情報のデータ形式を決定し、貼付データ生成部４０５は、方向形式決定部４０４により決定されたデータ形式に従い、貼付データを生成することが可能である。尚、方向形式決定部４０４（決定部）および貼付データ生成部４０５における処理は、この例に限定されるものではなく、例えば、データ形式を決定し、データ形式の決定後にデータのレイアウトを行うようにすることも可能である。
【００３３】
（各種情報）
図５（ａ）〜（ｃ）は、本実施形態に係る医用情報処理装置１００の各種情報の一例を示す図である。図５（ａ）は、レポート情報５０１の構成の一例を示す図である。レポート情報５０１には、画像診断に関する情報を分類した複数の情報と、情報の間の関係を示す関係情報とが含まれる。すなわち、レポート情報５０１には、ＣＴやＭＲＩの画像診断のレポートである読影レポートを構成する複数の情報（情報１、情報２、・・・）と、情報の間の関係を示す複数の関係情報（関係情報１、関係情報２、・・・）とが含まれる。
【００３４】
各情報は、情報種別に関する属性情報を持ち、更に、情報種別毎に予め規定された属性情報を有する。関係情報は、関係種別に関する属性情報を持ち、更に、予め規定された属性情報を有する。本実施形態において、情報種別の属性種別は、例えば、「レポート情報」、「患者情報」、「検査情報」、「依頼目的」、「代表画像」、「所見」、「診断」、「推奨」、「ＲＯＩ」である。また、関係種別は、例えば、「対応」、「原因／根拠」である。
【００３５】
レポート情報は、レポートＩＤ、読影医、撮影日時の属性情報を有する。患者情報は患者氏名、患者ＩＤ、年齢、性別の属性情報を有する。
【００３６】
また、検査情報は、検査種別、検査部位、検査日、コメントの属性情報を有する。依頼目的は、ＵＩＤ（Unique Identifier）、内容（テキスト）の属性情報を有する。代表画像は、情報を一意に識別するＵＩＤ、画像をビューワ画面に表示するＵＲＬ（Uniform Resource Locator）、画像に付与された関心領域（ＲＯＩ）の情報を参照するＲＯＩ ＵＩＤを有する。
【００３７】
所見は、ＵＩＤ、所見の自由文、部位名、病変種別の属性情報を有する。ここで、部位名や病変種別は、言語解析により自由文から抽出しても、ユーザに入力させてもよい。診断は、ＵＩＤ、自由文、診断名の属性情報を有する。推奨は、ＵＩＤ、自由文の属性情報を有する。ＲＯＩは、ＵＩＤ、座標、ＲＯＩ番号の属性情報を有する。また、関係情報は、関係元ＵＩＤと関係先ＵＩＤの属性情報を有する。関係元と関係先のＵＩＤには、依頼目的、代表画像、所見、診断、推奨の何れかのＵＩＤが入る。
【００３８】
図５（ｂ）は、カルテ情報５０２の構成の一例を示す図である。カルテ情報５０２には患者情報、診療履歴情報、複数のカルテ内容（カルテ内容１、カルテ内容２、・・・）が含まれる。患者情報は、患者氏名、患者ＩＤ、年齢、性別、アレルギー、メモの属性情報を有する。診療履歴はカルテ、検査結果の属性情報を有する。カルテ内容は、更新日時、本文、処置・処方の属性情報を有する。
【００３９】
図５（ｃ）は、画像情報５０３の構成の一例を示す図である。画像情報５０３には、患者情報、検査情報、複数のスライス画像情報（スライス画像情報１、スライス画像情報２、・・・）が含まれる。患者情報は、患者氏名、患者ＩＤ、年齢、性別の属性情報を有する。検査情報は、検査ＵＩＤ、検査種別、検査部位、検査日、コメントの属性情報を有する。スライス画像情報は、画像ＵＩＤ、シリーズＵＩＤ、検査ＵＩＤ、画像をビューワ画面に表示する為のＵＲＬの属性情報を有する。
【００４０】
（設定情報）
図６は、本実施形態に係る医用情報処理装置の設定情報の一例を示す図である。設定情報６００−１には、貼付に関する設定情報（貼付設定情報）として、データ形式とレイアウト方向との２つの情報が含まれる。データ形式は、例えば、ＪＰＥＧ画像、テキスト、ＨＴＭＬの各々について「選択」か「非選択」かの情報を有する。レイアウト方向は、例えば、縦、横、縦横の各々の方向について「選択」か「非選択」かの情報を有る。尚、複数のデータ形式、複数のレイアウト方向が「選択」であってもよく、複数が選択されている場合には、何れを採用するかをユーザに選択させる処理を起動する。
【００４１】
（レイアウト方向）
図７（ａ）〜（ｃ）は、本実施形態に係る医用情報処理装置のレイアウト方向を説明する画面表示の一例を示す図である。図７（ａ）は、レイアウト方向が「縦横」の場合の画面表示の一例を示す図である。レイアウト方向が「縦横」の場合、関係付けされた情報のグループである代表画像３３６−１、所見情報３３７−１、診断情報３３８−１は、グループ内で横方向にレイアウトされ、グループは縦方向にレイアウトされる。
【００４２】
図７（ｂ）は、レイアウト方向が「縦」の場合の画面表示の一例を示す図である。レイアウト方向が「縦」の場合、関係付けされた情報のグループである代表画像３３６−１、所見情報３３７−１、診断情報３３８−１は、グループ内で縦方向にレイアウトされ、グループも縦方向にレイアウトされる。
【００４３】
図７（ｃ）は、レイアウト方向が「横」の場合の画面表示の一例を示す図である。レイアウト方向が「横」の場合、関係付けされた情報のグループである代表画像３３６−１、所見情報３３７−１、診断情報３３８−１は、グループ内で横方向にレイアウトされ、グループも横方向にレイアウトされる。
【００４４】
（レポート情報貼付後のカルテ画面）
図８は、本実施形態に係る医用情報処理装置の、レポート情報貼付後のカルテ画面の一例を示す図である。カルテ画面３１０−１において、８０１は貼り付けたレポート情報であり、図８に示す例では、代表画像３３６−１、所見情報３３７−１、診断情報３３８−１を、レイアウト方向が「縦」で貼り付けた画面を示している。
【００４５】
（情報のレイアウト）
図９（ａ）〜（ｄ）は、本実施形態に係る医用情報処理装置の、レイアウトの一例を説明する図である。図９（ａ）において、「Ｉ１」、「Ｉ２」は代表画像、「Ｏ１」は所見情報、「Ａ１」は診断情報、「Ｐ１」は推奨情報である。図９（ａ）では、２つの代表画像（Ｉ１、Ｉ２）と１つの所見情報（Ｏ１）、診断情報（Ａ１）、推奨情報（Ｐ１）が関係付けされたレポート情報がレイアウトされている。図９（ａ）において、９０１は縦横方向にレイアウトした例であり、９０２は縦方向にレイアウトした例である。
【００４６】
図９（ｂ）において、「Ｉ１」は代表画像、「Ｏ１」は所見情報、「Ａ１」、「Ａ２」は診断情報、「Ｐ１」、「Ｐ２」は推奨情報である。図９（ｂ）では、１つの代表画像（Ｉ１）と１つの所見情報（Ｏ１）、２つの診断情報（Ａ１、Ａ２）、診断情報毎に１つの推奨情報（Ｐ１、Ｐ２）が関係付けされたレポート情報がレイアウトされている。図９（ｂ）において、９０３は縦横方向にレイアウトした例であり、９０４は縦方向にレイアウトした例である。
【００４７】
図９（ｃ）において、「Ｉ１」、「Ｉ２」は代表画像、「Ｏ１」、「Ｏ２」は所見情報、「Ａ１」は診断情報、「Ｐ１」は推奨情報である。図９（ｃ）では、１つの代表画像と１つの所見情報が関連付けされた２セット（（Ｉ１、Ｏ１）、（Ｉ２、Ｏ２））が、１つの診断情報（Ａ１）、推奨情報（Ｐ１）に関係付けされたレポート情報がレイアウトされている。図９（ｃ）において、９０５は縦横方向にレイアウトした例であり、９０６は、所見毎のグループで縦方向にレイアウトした例であり、所見情報「Ｏ１」のグループと所見情報「Ｏ２」の２つのグループに分けてレイアウトされている。ここで、診断情報「Ａ１」と推奨情報「Ｐ１」は、所見情報「Ｏ１」と「Ｏ２」の両方に関係付けられているため、両方のグループに現れる。９０７は、診断毎のグループで縦方向にレイアウトした例であり、診断情報「Ａ１」のグループとして、推奨情報「Ｐ１」、所見情報［Ｏ１」、「Ｏ２」や画像情報「Ｉ１」、「Ｉ２」が、１つのまとまりとしてレイアウトされている。
【００４８】
図９（ｄ）において、「Ｉ１」、「Ｉ２」は代表画像、「Ｏ１」、「Ｏ２」は所見情報、「Ａ１」、「Ａ２」は診断情報、「Ｐ１」、「Ｐ２」は推奨情報である。図９（ｄ）では、１つの代表画像と１つの所見情報が関連付けされた２セット（（Ｉ１、Ｏ１）（Ｉ２、Ｏ２））が、それぞれ１つの診断情報、推奨情報に関係付けされ、２セットの中の１セット（Ｉ２、Ｏ２）が他の診断情報、推奨情報にも関係付けされたレポート情報がレイアウトされている。図９（ｄ）において、９０８は縦横方向にレイアウトした例であり、９０９は、所見毎のグループで縦方向にレイアウトした例であり、所見情報「Ｏ１」のグループと所見情報「Ｏ２」の２つのグループに分けてレイアウトされている。９１０は、診断毎のグループで縦方向にレイアウトした例であり、診断情報「Ａ１」のグループと診断情報「Ａ２」のグループの２つのグループに分けてレイアウトされている。ここで、所見情報「Ｏ２」、画像情報「Ｉ２」は、診断情報「Ａ１」および「Ａ２」の両方に関係付けられているため、両方のグループに現れる。
【００４９】
（メイン処理フロー）
図１０は、本実施形態に係る医用情報処理装置のメイン処理のフロー図である。メイン処理が開始されると、表示制御部４０１は、処理開始時に指定された患者ＩＤの今回のカルテ情報をカルテＤＢ１４１から取得し（Ｓ１００１）、今回のカルテ情報をカルテ画面３１０に表示する（Ｓ１００２）。
【００５０】
更に、表示制御部４０１は、カルテ画面３１０において、カルテの編集操作を検出した場合（Ｓ１００３のＹｅｓ）、編集操作に応じてカルテ情報を更新する（Ｓ１０１１）。ここで、カルテの編集操作とは、文字入力、文字削除、処置・処方の追加、削除、修正である。
【００５１】
また、表示制御部４０１は、カルテ画面３１０において、検査結果の表示操作を検出した場合（Ｓ１００４のＹｅｓ）、指定された検査結果の画像情報を画像ＤＢ１２１から取得する（Ｓ１０１２）。引き続き、取得した画像情報をビューワ画面３２０に表示し（Ｓ１０１３）、指定された検査結果のレポート情報をレポートＤＢ１３１から取得し（Ｓ１０１４）、取得したレポート情報をレポート画面３３０に表示する（Ｓ１０１５）。ここで、検査結果の表示操作とは、診療履歴表示領域３１２で、検査結果をマウスで左ダブルクリックする等である。
【００５２】
また、表示制御部４０１は、ビューワ画面３２０において、画像の閲覧操作を検出した場合（Ｓ１００５のＹｅｓ）、画像閲覧操作に応じてビューワ画面を更新する（Ｓ１０１６）。ここで、画像閲覧操作とは、表示するスライス位置の移動や、ＷＬ（Window Level）／ＷＷ（Window Width）といった画像表示条件の変更等であり、マウスの縦方向へのドラッグ、横方向へのドラッグ等に割り当てられる。
【００５３】
ここで、情報指定部４０２が、レポート画面３３０において情報の指定操作を検出すると（Ｓ１００６のＹｅｓ）、指定された情報を一時記憶する（Ｓ１０１７）。ここで、情報の指定操作とは、レポート画面３３０の情報上でのマウスのクリックであり、Ｃｔｒｌキーを押下しながらクリックすると複数の情報が選択できる。また、ＣｔｒｌキーとＡキーを同時に押下するとレポート内の全ての代表画像、所見、診断、推奨情報が選択できる。
【００５４】
また、貼付指示部４０３が、レポート画面３３０において貼付操作（コピー操作）を検出すると（Ｓ１００７のＹｅｓ）、方向形式決定部４０４は、図１１で説明するレイアウト方向・データ形式決定処理を実行する（Ｓ１０１８）。引き続き、貼付データ生成部４０５は、図１２で説明する貼付データ生成処理を実行し（Ｓ１０１９）、生成された貼付データを、ＯＳが提供するクリップボードに保存する（Ｓ１０２０）。
【００５５】
更に、貼付指示部４０３が、カルテ画面３１０においてペースト操作を検出すると（Ｓ１００８のＹｅｓ）、クリップボードから貼付データを取得し（Ｓ１０２１）、取得した貼付データをカルテ情報に貼付する（Ｓ１０２２）。本実施形態では、貼付操作をコピー操作とペースト操作に分けた例を示したが、ドラッグ＆ドロップ等、他の１つ（１連）の操作であっても同様である。表示制御部４０１は、カルテ画面３１０で終了操作を検出した場合（Ｓ１００９のＹｅｓ）、表示している全ての画面を閉じて（Ｓ１０２３）、処理を終了する。ここで、終了操作はカルテ画面３１０のボタン３１５のクリック等である。
【００５６】
（レイアウト方向・データ形式決定処理フロー）
図１１は、本実施形態に係る医用情報処理装置のレイアウト方向・データ形式決定処理のフロー図である。レイアウト方向・データ形式決定処理は、図１０のＳ１０１８で、方向形式決定部４０４によって実行される。方向形式決定部４０４は、予め記憶した設定情報６００−１に基づきレイアウト方向およびデータ形式を決定することが可能である。処理が開始されると、方向形式決定部４０４は、レイアウト方向・データ形式の設定情報６００−１（図６）を取得し（Ｓ１１０１）、データ形式が未設定又は複数選択されている場合（Ｓ１１０２のＹｅｓ）、データ形式の選択の受け付けを行う（Ｓ１１１１）。データ形式の選択は、不図示の選択画面等を表示し、ユーザからの選択入力を受け付ける。
【００５７】
また、レイアウト方向が未設定又は複数選択されている場合（Ｓ１１０３のＹｅｓ）、レイアウト方向の選択の受け付けを行う（Ｓ１１１２）。レイアウト方向の選択は、データ形式と同様に、不図示の選択画面等を表示し、ユーザからの選択入力を受け付ける。
【００５８】
（貼付データ生成処理フロー）
図１２は、本実施形態に係る医用情報処理装置の貼付データ生成処理のフロー図である。貼付データ生成処理は、図１０のＳ１０１９で、貼付データ生成部４０５によって実行される。処理が開始されると、貼付対象として指定され、図１０のＳ１０１７で記憶した情報が複数存在するか否かを、貼付データ生成部４０５はチェックする（Ｓ１２０１）。情報が複数存在しない場合（Ｓ１２０１のＮｏ）、貼付データ生成部４０５は、指定された情報を所定の位置、例えば左上方にレイアウトして（Ｓ１２０２）、Ｓ１２０３に進む。
【００５９】
一方、情報が複数存在する場合（Ｓ１２０１のＹｅｓ）、貼付データ生成部４０５は、指定されたレイアウト方向が縦横か否かをチェックする（Ｓ１２１１）。貼付データ生成部４０５は、レイアウト方向が縦横方向である場合に、関係情報に基づいて情報のグループ化を行い、グループ内の情報を横方向にレイアウトし、グループを縦方向にレイアウトして、貼付データを生成する。指定されたレイアウト方向が縦横の場合（Ｓ１２１１のＹｅｓ）、貼付データ生成部４０５は、指定された情報を関係情報に基づきグループ化し（Ｓ１２１２）、各グループ内の情報を横方向にレイアウトする（Ｓ１２１３）。更に、グループを縦方向にレイアウトし（Ｓ１２１４）、Ｓ１２０３に進む。
【００６０】
一方、Ｓ１２１１の判定で、指定されたレイアウト方向が縦横でない、すなわち縦方向か横方向の何れかである場合（Ｓ１２１１のＮｏ）、Ｓ１２２１に進む。ここで、画像診断に関する情報を分類した複数の情報には、例えば、依頼、画像、所見、診断の情報が含まれており、貼付データ生成部４０５は、依頼の情報の内容に基づいて、情報のグループ化を行うことが可能である。貼付データ生成部４０５は、依頼の情報の内容が所見の精査目的である場合に、所見の情報毎に、関係情報に基づいて、当該所見の情報と関係する情報のグループ化を行うことが可能である。あるいは、貼付データ生成部４０５は、依頼の情報の内容が診断の鑑別目的である場合に、診断の情報毎に、関係情報に基づき当該診断の情報と関係する情報のグループ化を行うことが可能である。
【００６１】
具体的な処理として、まず、貼付データ生成部４０５は、指定された情報に関係する依頼目的が所見の精査目的か否かをチェックする（Ｓ１２２１）。指定された情報に関係する依頼目的が所見の精査目的の場合（Ｓ１２２１のＹｅｓ）、貼付データ生成部４０５は、所見情報毎に関係する情報をグループ化し（Ｓ１２２２）、Ｓ１２２３に進む。指定された情報に関係する依頼目的が所見の精査目的でない場合（Ｓ１２２１のＮｏ）、貼付データ生成部４０５は、指定された情報に関係する依頼目的が診断の鑑別目的か否かをチェックする（Ｓ１２３１）。
【００６２】
指定された情報に関係する依頼目的が診断の鑑別目的の場合（Ｓ１２３１のＹｅｓ）、貼付データ生成部４０５は、診断情報毎に関係する情報をグループ化し（Ｓ１２３２）、Ｓ１２２３に進む。指定された情報に関係する依頼目的が診断の鑑別目的でない場合（Ｓ１２３１のＮｏ）、貼付データ生成部４０５は、デフォルトの情報種別毎に関係する情報をグループ化し（Ｓ１２４１）、Ｓ１２２３に進む。ここで、デフォルトの情報種別は、ユーザ毎に設定情報として保持してもよい。
【００６３】
次に、貼付データ生成部４０５は、レイアウト方向が縦方向か横方向のいずれかである場合に、関係情報に基づいて情報のグループ化を行い、グループ内の情報をレイアウト方向にレイアウトすると共に、グループをレイアウト方向にレイアウトして、貼付データを生成する。貼付データ生成部４０５は、情報を縦方向または横方向にレイアウトする際に、上記の依頼の情報の内容に応じてグループを変更することが可能である。Ｓ１２２３では、貼付データ生成部４０５は、指定されたレイアウト方向が縦方向か否かをチェックする。指定されたレイアウト方向が縦方向の場合（Ｓ１２２３のＹｅｓ）、貼付データ生成部４０５は、各グループ内の情報を縦方向にレイアウトし（Ｓ１２２４）、グループも縦方向にレイアウトし（Ｓ１２２５）、Ｓ１２０３に進む。指定されたレイアウト方向が縦方向でない場合（Ｓ１２２３のＮｏ）、貼付データ生成部４０５は、指定されたレイアウト方向が横方向か否かをチェックする（Ｓ１２３３）。指定されたレイアウト方向が横方向の場合（Ｓ１２３３のＹｅｓ）、貼付データ生成部４０５は、各グループ内の情報を横方向にレイアウトし（Ｓ１２３４）、グループも横方向にレイアウトし（Ｓ１２３５）、Ｓ１２０３に進む。指定されたレイアウト方向が横方向でない場合（Ｓ１２３３のＮｏ）、貼付データ生成部４０５は、各グループ内の情報をデフォルト方向にレイアウトし（Ｓ１２４２）、グループもデフォルト方向にレイアウトし（Ｓ１２４３）、Ｓ１２０３に進む。ここで、デフォルトのレイアウト方向は、ユーザ毎に設定情報として保持してもよい。
【００６４】
Ｓ１２０３では、貼付データ生成部４０５は、指定されたデータ形式が画像か否かをチェックする。指定されたデータ形式が画像の場合（Ｓ１２０３のＹｅｓ）、貼付データ生成部４０５は、レイアウトに従って、指定された情報から画像の貼付データを生成し（Ｓ１２０４）、処理を終了する。指定されたデータ形式が画像でない場合（Ｓ１２０３のＮｏ）、貼付データ生成部４０５は、指定されたデータ形式がＨＴＭＬ（構造化データ）か否かをチェックする（Ｓ１２１５）。指定されたデータ形式がＨＴＭＬの場合（Ｓ１２１５のＹｅｓ）、貼付データ生成部４０５は、レイアウトに従って、指定された情報からＨＴＭＬの貼付データを生成し（Ｓ１２１６）、処理を終了する。ここで、ＨＴＭＬによるレイアウトは、例えば、表示領域の行方向又は列方向に、「関係情報」により関係付けられた「依頼」、「画像」、「所見」、「診断」等のそれぞれの情報を格納した表＜ｔａｂｌｅ＞を作成することにより行う。指定されたデータ形式がＨＴＭＬでない場合（Ｓ１２１５のＮｏ）、貼付データ生成部４０５は、指定されたデータ形式がテキストか否かをチェックする（Ｓ１２２６）。指定されたデータ形式がテキストの場合（Ｓ１２２６のＹｅｓ）、貼付データ生成部４０５は、レイアウトに従って、指定された情報からテキストの貼付データを生成し（Ｓ１２２７）、処理を終了する。指定されたデータ形式がテキストでない場合（Ｓ１２２６のＮｏ）、貼付データ生成部４０５は、レイアウトに従って、指定された情報からデフォルトのデータ形式の貼付データを生成し（Ｓ１２３６）、処理を終了する。ここで、デフォルトのデータ形式は、ユーザ毎に設定情報として保持してもよい。
【００６５】
本実施形態によれば、構造化された読影レポートをカルテ等に貼り付ける際、情報の内容や関係情報の構造に応じて貼付データをレイアウトすることにより、レポートの内容の理解し易さを損ねることのない貼り付けが可能となる。例えば、情報を縦方向または横方向に一列にレイアウトする際に、依頼目的の種別に応じてレイアウトする際のグループを変更することにより、内容の理解し易さを損ねることのない貼り付けが可能となる。
【００６６】
＜実施形態２＞
実施形態２では、貼り付け先に関する情報を取得し、貼り付け先に関する情報に基づいて、レイアウト方向、データ形式を決定し、レポート情報をカルテ情報に貼り付ける医用情報処理装置について説明する。
【００６７】
本実施形態に係る医用情報処理装置に関するシステム構成、ハードウェア構成、機能ブロック、画面構成、各種情報、レイアウト方向、レイアウトの例は、実施形態１で説明したものと同様のため、ここでの説明を省略する。また、貼付データ生成処理フローも、実施形態１で説明したものと同様のため、ここでの説明を省略する。また、特に断らない限り、他の実施形態で説明した項目については、同一の番号を付し、その説明を省略する。
【００６８】
（実施形態２のメイン処理フロー）
図１３は、本実施形態に係る医用情報処理装置のメイン処理のフロー図である。本実施形態のメイン処理では、貼付指示部４０３が、レポート画面３３０においてコピー操作を検出すると（Ｓ１００７のＹｅｓ）、指定された情報を貼付対象の情報として記憶する（Ｓ１３１１）。
【００６９】
そして、貼付指示部４０３が、カルテ画面３１０においてペースト操作を検出すると（Ｓ１００８のＹｅｓ）、方向形式決定部４０４が、Ｓ１３１１のステップで記憶した貼付対象の情報を取得する（Ｓ１３１２）。そして、引き続いて、方向形式決定部４０４は、図１４で説明する、貼付先に応じた、レイアウト方向・データ形式の決定処理を実行し（Ｓ１３１３）、貼付データ生成部４０５は、貼付データ生成処理を実行して貼付データを生成する（Ｓ１０１９）。
【００７０】
（実施形態２のレイアウト方向・データ形式決定処理フロー）
図１４は、本実施形態に係る医用情報処理装置のレイアウト方向・データ形式決定処理のフロー図である。本レイアウト方向・データ形式決定処理は、図１３のＳ１３１３で、方向形式決定部４０４によって実行される。方向形式決定部４０４は、貼り付け先が対応するデータ形式を取得し、貼り付ける情報のデータ形式を決定することが可能である。処理が開始されると、方向形式決定部４０４は、クリップボードから、貼り付け先が対応するデータ形式を取得する（Ｓ１４０１）。ここで、データ形式には、画像データ、テキストデータおよび構造化データが含まれる。取得したデータ形式が画像データ、テキストデータ、構造化データ（ＨＴＭＬ）の何れか１つである場合（Ｓ１４０２のＹｅｓ）、方向形式決定部４０４は、貼付対象の情報（貼付データ）のデータ形式を、取得したデータ形式に設定し（Ｓ１４０３）、Ｓ１４０４に進む。取得したデータ形式が画像データ、テキストデータ、ＨＴＭＬの何れか１つではない場合（Ｓ１４０２のＮｏ）、方向形式決定部４０４は、貼付データのデータ形式をデフォルトのデータ形式に設定し（Ｓ１４１１）、Ｓ１４０４に進む。ここで、デフォルトのデータ形式は、ユーザ毎に設定情報として保持してもよい。また、貼り付け先が対応するデータ形式は、クリップボード経由で取得したが、オブジェクトの種別等の情報から決定してもよい。
【００７１】
方向形式決定部４０４は、貼り付け先の表示に関する属性値に基づきレイアウト方向を決定することが可能である。Ｓ１４０４では、方向形式決定部４０４は、貼り付け先の表示に関する属性値を取得する（Ｓ１４０４）。属性値の取得は、ＯＳが提供するフレームワークのインタフェースを用いても、独自のインタフェースを用いてもよい。
【００７２】
貼り付け先の表示領域が、縦横両方向のスクロールが可能であるか又は横幅が所定値以上で縦方向のみスクロールが可能である場合（Ｓ１４０５のＹｅｓ）、方向形式決定部４０４は、レイアウト方向を縦横方向に設定し（Ｓ１４０６）、処理を終了する。
【００７３】
Ｓ１４０５の判定がＮｏの場合、方向形式決定部４０４は、縦方向のスクロールが可能か否かをチェックする（Ｓ１４１２）。縦方向のスクロールが可能な場合（Ｓ１４１２のＹｅｓ）、方向形式決定部４０４は、レイアウト方向を縦方向に設定し（Ｓ１４１３）、処理を終了する。縦方向のスクロールが可能でない場合（Ｓ１４１２のＮｏ）、方向形式決定部４０４は、横方向のスクロールが可能か否かをチェックする（Ｓ１４２１）。
【００７４】
横方向のスクロールが可能な場合（Ｓ１４２１のＹｅｓ）、方向形式決定部４０４は、レイアウト方向を横方向に設定し（Ｓ１４２２）、処理を終了する。縦方向のスクロールが可能でない場合（Ｓ１４２１のＮｏ）、方向形式決定部４０４は、レイアウト方向をデフォルト方向に設定し（Ｓ１４３１）、処理を終了する。ここで、デフォルトのスクロール方向は、ユーザ毎に設定情報として保持してもよい。
【００７５】
尚、データ形式がＨＴＭＬの場合、レポート情報の表示／非表示を切り替えるボタンを設け、レポート情報表示のタイミングで、動的にレイアウト方向の決定やレイアウトを行っても良い。
【００７６】
本実施形態によれば、構造化された読影レポートをカルテ等に貼り付ける際、情報の内容や関係情報の構造に応じて貼付データをレイアウトすることにより、レポートの内容の理解し易さを損ねることのない貼り付けが可能となる。
【００７７】
また、本実施形態によれば、貼り付け先の表示属性に応じて、レイアウト方向やデータ形式を決定するため、貼り付け先となる対象が複数存在する場合に、レイアウト方向やデータ形式を選択する手間を低減することが可能になる。
【００７８】
＜実施形態３＞
実施形態３では、貼り付け対象として指定された情報に関連する情報も、貼り付け対象に追加する医用情報処理装置について説明する。
【００７９】
本実施形態に係る医用情報処理装置に関するシステム構成、ハードウェア構成、機能ブロック、画面構成、各種情報、レイアウト方向、レイアウトの例は、実施形態１で説明したものと同様のため、ここでの説明を省略する。また、レイアウト方向・データ形式決定処理フロー、および貼付データ生成処理フローも、実施形態１で説明したものと同様のため、ここでの説明を省略する。また、特に断らない限り、他の実施形態で説明した項目については、同一の番号を付し、その説明を省略する。
【００８０】
（実施形態３の設定情報）
図１５は、本実施形態に係る医用情報処理装置の設定情報の一例である。本実施形態の設定情報６００−２には、実施形態１で説明した設定情報（データ形式およびとレイアウト方向）に、情報追加に関する情報が加えられる。情報追加に関する情報は、検査情報追加、レポートＵＲＬ追加、画像ＵＲＬ追加、および関係情報追加の各々について、「選択」であるか、「非選択」であるかの情報を有する。ここで、レポートＵＲＬとは、貼り付け対象である情報をレポート画面で閲覧するためのＵＲＬであり、レポート画面上で、対象となる情報がハイライト表示される。また、画像ＵＲＬは、貼り付け対象である情報に関係する代表画像をビューワ画面に表示するためのＵＲＬであり、所見や診断の根拠となる画像がビューワ画面に表示できる。また、関係情報は、貼り付け対象である情報に関係する情報であり、例えば、診断情報を指定することで、その診断の根拠となる所見情報や代表画像、その診断に対する推奨情報等も合わせて貼付対象となる。
【００８１】
（実施形態３のメイン処理フロー）
図１６は、本実施形態に係る医用情報処理装置のメイン処理のフロー図である。本実施形態のメイン処理では、貼付指示部４０３が、レポート画面３３０において貼付操作（コピー操作）を検出すると（Ｓ１００７のＹｅｓ）、貼付指示の際の関係情報非追加指定の有無をチェックする（Ｓ１６１１）。
【００８２】
関係情報の非追加指定がされている場合（Ｓ１６１１のＹｅｓ）、Ｓ１０１８に進み、Ｓ１０１８以降の処理を実行する。一方、関係情報非追加指定がされていない場合（Ｓ１６１１のＮｏ）、すなわち、関係情報の追加が指定されている場合、貼付指示部４０３は、図１７で説明する関係情報追加処理を実行し（Ｓ１６１２）、Ｓ１０１８に進む。ここで、関係情報の非追加指定とは、関係情報を自動的に追加しないことを明示する操作であり、例えば、Ｃｔｒｌ＋Ａｌｔ＋Ｃ等の操作が割り当てられる。本指定は、ユーザ毎に設定情報として保持してもよい。
【００８３】
（実施形態３の関係情報追加処理フロー）
図１７は、本実施形態に係る医用情報処理装置の関係情報追加処理のフロー図である。本関係情報追加処理は、図１６のＳ１６１２で実行される。関係情報追加処理において、貼付指示部４０３は、情報追加に関する設定情報を取得し、設定情報に設定されている情報を貼り付ける情報（貼付対象情報）に追加する。貼付指示部４０３は、関係情報に従い、設定情報に設定されている情報を取得して、貼り付ける情報に追加する。処理が開始されると、貼付指示部４０３は、図１５で説明した、情報追加に関する設定情報を取得する（Ｓ１７０１）。
【００８４】
Ｓ１７０２の判定で、検査情報追加が設定されていない場合（Ｓ１７０２のＮｏ）、Ｓ１７０３に進む。一方、検査情報追加が設定されている場合（Ｓ１７０２のＹｅｓ）、貼付指示部４０３が、貼付対象情報の先頭に検査情報を追加する（Ｓ１７１１）。
【００８５】
Ｓ１７０３の判定で、レポートＵＲＬ追加が設定されていない場合（Ｓ１７０３のＮｏ）、Ｓ１７０４に進む。一方、レポートＵＲＬ追加が設定されている場合（Ｓ１７０３のＹｅｓ）、貼付指示部４０３が、貼付対象情報の後方に貼付対象情報に対応する情報をレポートに表示するＵＲＬを追加する（Ｓ１７１２）。
【００８６】
Ｓ１７０４の判定で、画像ＵＲＬ追加が設定されていない場合（Ｓ１７０４のＮｏ）、Ｓ１７０５に進む。一方、画像ＵＲＬ追加が設定されている場合（Ｓ１７０４のＹｅｓ）、貼付指示部４０３が、関係情報に基づき、指定された情報に関係する代表画像の情報を取得する（Ｓ１７１３）。続いて、取得した画像情報から、貼付指示部４０３が、画像をビューワで開くＵＲＬを取得し、貼付対象情報に追加する（Ｓ１７１４）。
【００８７】
Ｓ１７０５の判定で、関係情報の追加が設定されていない場合（Ｓ１７０５のＮｏ）、貼付指示部４０３は、本処理を終了する。一方、関係情報の追加が設定されている場合（Ｓ１７０５のＹｅｓ）、貼付指示部４０３が、関係情報に基づき、指定された情報に関係する情報を取得し（Ｓ１７１５）、取得した情報を貼付対象情報に追加する（Ｓ１７１６）。そして、貼付指示部４０３は、取得した情報を貼付対象情報に追加した後に本処理を終了する。
【００８８】
（関係情報追加のカルテ画面の例）
図１８は、本実施形態に係る医用情報処理装置の、レポート情報貼付後のカルテ画面の一例である。図１８において、カルテ画面３１０−２には、レポート情報がテキスト形式で貼付され、カルテ画面３１０−２において、追加された検査情報１８０１、追加されたレポートＵＲＬ１８０２、追加された画像ＵＲＬ１８０３が追加表示されている。
【００８９】
本実施形態によれば、構造化された読影レポートをカルテ等に貼り付ける際、情報の内容や関係情報の構造に応じて貼付データをレイアウトすることにより、レポートの内容の理解し易さを損ねることのない貼り付けが可能となる。
【００９０】
また、本実施形態によれば、貼り付け対象の情報を１つ指定するだけで、関係する情報を合わせて貼付可能となり、貼り付け対象を選択する手間を低減することが可能になる。
【００９１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９２】
１００：医用情報処理装置、１２０：ＰＡＣＳサーバ、１３０：レポートサーバ、１４０：カルテサーバ、３１０：カルテ画面、３２０：ビューワ画面、３３０：レポート画面、４０１：表示制御部、４０２：情報指定部、４０３：貼付指示部、４０４：方向形式決定部（決定部）、４０５：貼付データ生成部
【図１】
2018036729.tif 000003
【図２】
2018036729.tif 000004
【図３Ａ】
2018036729.tif 000005
【図３Ｂ】
2018036729.tif 000006
【図４】
2018036729.tif 000007
【図５】
2018036729.tif 000008
【図６】
2018036729.tif 000009
【図７】
2018036729.tif 000010
【図８】
2018036729.tif 000011
【図９】
2018036729.tif 000012
【図１０】
2018036729.tif 000013
【図１１】
2018036729.tif 000014
【図１２】
2018036729.tif 000015
【図１３】
2018036729.tif 000016
【図１４】
2018036729.tif 000017
【図１５】
2018036729.tif 000018
【図１６】
2018036729.tif 000019
【図１７】
2018036729.tif 000020
【図１８】
2018036729.tif 000021